(57)【要約】【解決手段】ダンパーは、共振回路（１１）と、減衰コンデンサユニット（ＣＤ）と、スイッチング回路（１２）と、を含む。共振回路（１１）の減衰誘導ユニット（ＬＤ）は、交流電気エネルギーを受け取る。共振回路（１１）の共振コンデンサ（Ｃｒ）は、減衰誘導ユニット（ＬＤ）に接続される。スイッチング回路（１２）は、共振コンデンサ（Ｃｒ-）と、減衰誘導ユニット（ＬＤ）と、減衰コンデンサユニット（ＣＤ）と、に接続される。スイッチング回路（１２）は、第１の位相で動作する際、交流電気エネルギーを共振回路（１１）に蓄積するように、減衰誘導ユニット（ＬＤ）及び共振コンデンサ（Ｃｒ-）の間に電気的接続を確立し、且つ、第２の位相で動作する際、交流電気エネルギーを減衰コンデンサユニット（ＣＤ）に転送して蓄積させる。【選択図】  図１
2018068102.tif 000002
【特許請求の範囲】
【請求項１】
第１の端子と第２の端子とを有し、且つ交流（ＡＣ）電気エネルギーを受け取るように構成されている減衰誘導ユニット（ＬＤ）と、
前記減衰誘導ユニット（ＬＤ）の前記第１の端子と電気的に接続される第１の端子と、第２の端子と、を有する共振コンデンサ（Ｃｒ-）と、
を含む共振回路（１１）と、
減衰コンデンサユニット（ＣＤ）と、
前記共振コンデンサ（Ｃｒ-）及び前記減衰誘導ユニット（ＬＤ）のそれぞれの前記第２の端子と、前記減衰コンデンサユニット（ＣＤ）と、に電気的に接続されると共に、第１の位相と第２の位相で動作するように構成されるスイッチング回路（１２）と、
を具え、
前記第１の位相で動作する時、前記スイッチング回路（１２）は、前記減衰誘導ユニット（ＬＤ）によって受け取った交流電気エネルギーを前記共振回路（１１）に蓄積するように、前記減衰誘導ユニット（ＬＤ）及び前記共振コンデンサ（Ｃｒ）のそれぞれの前記第２の端子の間に電気的接続を確立し、
前記第２の位相で動作する時、前記スイッチング回路（１２）は、前記共振回路（１１）に蓄積された交流電気エネルギーを前記減衰コンデンサユニット（ＣＤ）に転送して蓄積させる、ダンパー（１）。
【請求項２】
前記減衰コンデンサユニット（ＣＤ）は、第１の端子と、第２の端子と、第３の端子と、を有し、且つ、
前記減衰コンデンサユニット（ＣＤ）の前記第１の端子と第３の端子との間に接続される第１の無極性コンデンサ（Ｃｓ１）と、
前記減衰コンデンサユニット（ＣＤ）の前記第２の端子と第３の端子との間に接続される第２の無極性コンデンサ（Ｃｓ２）と、
前記減衰コンデンサユニット（ＣＤ）の前記第１の端子と第２の端子との間に接続される極性コンデンサ（Ｃｐ）と、を含み、
前記スイッチング回路（１２）は、
前記減衰誘導ユニット（ＬＤ）の前記第２の端子と前記減衰コンデンサユニット（ＣＤ）の前記第１の端子及び前記第２の端子にそれぞれ接続される第１のダイオードセット（１３）と、
前記共振コンデンサ（Ｃｒ-）の前記第２の端子と前記減衰コンデンサユニット（ＣＤ）の前記第１の端子及び前記第２の端子にそれぞれ接続される第２のダイオードセット（１４）と、
前記減衰誘導ユニット（ＬＤ）の前記第２の端子に接続される第１の端子と、前記減衰コンデンサユニット（ＣＤ）の前記第３の端子に接続される第２の端子と、制御端子と、を有する第１のスイッチユニット（１６）と、
前記共振コンデンサ（Ｃｒ-）の前記第２の端子に接続される第１の端子と、前記減衰コンデンサユニット（ＣＤ）の前記第３の端子に接続される第２の端子と、制御端子と、を有する第２のスイッチユニット（１７）と、
前記第１のスイッチユニット及び前記第２のスイッチユニットのそれぞれの前記制御端子に電気的に接続されるコントローラー（１５）と、を含み、
前記第１のスイッチユニット及び前記第２のスイッチユニットは、それぞれ電流が通ってその前記第１の端子と前記第２の端子の間に流れることを許可するオン状態と、電流が通ってその前記第２の端子から前記第１の端子へ流れることを許可するオフ状態と、で動作可能であり、    
前記コントローラーは、前記第１のスイッチユニット及び前記第２のスイッチユニットがそれぞれ前記オン状態と前記オフ状態での動作を制御するように構成される、
請求項１に記載のダンパー（１）。
【請求項３】
前記スイッチング回路（１２）は、前記第１の位相で動作する際、前記第１のスイッチユニット及び前記第２のスイッチユニットは同時に前記オン状態で動作して前記減衰誘導ユニット（ＬＤ）及び前記共振コンデンサ（Ｃｒ）のそれぞれの前記第２の端子の間に電気的接続を確立するように前記コントローラー（１５）に制御され、且つ
前記スイッチング回路（１２）は、前記第２の位相で動作する際、前記第１のスイッチユニット及び前記第２のスイッチユニットは同時に前記オフ状態で動作して、前記共振回路（１１）に蓄積された交流電気エネルギーを前記第１のダイオードセット（１３）及び前記第２のダイオードセット（１４）と前記第１のスイッチユニット及び前記第２のスイッチユニットを経由して、前記減衰コンデンサユニット（ＣＤ）に転送して蓄積させるように前記コントローラー（１５）に制御される、請求項２に記載のダンパー（１）。
【請求項４】
前記第１のスイッチユニットと前記第２のスイッチユニットは、該第１のスイッチユニット及び該第２のスイッチユニットの内の対応する１つにおける前記第１の端子、前記第２の端子及び前記制御端子にそれぞれ接続されるドレイン端子（Ｄ）、ソース端子（Ｓ）及びゲート端子（Ｇ）を有するトランジスタ（Ｑ１、Ｑ２）をそれぞれ含む、請求項２又は３に記載のダンパー（１）。
【請求項５】
前記第１のスイッチユニットと前記第２のスイッチユニットは、該第１のスイッチユニット及び該第２のスイッチユニットの対応する１つにおける前記第２の端子及び前記第１の端子にそれぞれ接続されるアノード及びカソードを有するダイオード（Ｄ１、Ｄ２）をそれぞれ更に含む、請求項４に記載のダンパー（１）。
【請求項６】
前記第１のダイオードセット（１３）及び前記第２のダイオードセット（１４）はそれぞれ、
前記減衰誘導ユニット（ＬＤ）及び前記共振コンデンサ（Ｃｒ）の内の対応する１つにおける前記第２の端子に接続されるアノードと、前記減衰コンデンサユニット（ＣＤ）の前記第１の端子に接続されるカソードと、を有する第１のダイオード（Ｄ３、Ｄ５）と、
前記減衰コンデンサユニット（ＣＤ）の前記第２の端子に接続されるアノードと、前記第１のダイオード（Ｄ３、Ｄ５）の前記アノードに接続されるカソードと、を有する第２のダイオード（Ｄ４、Ｄ６）と、
を含む、請求項２〜５のいずれか一項に記載のダンパー（１）。
【請求項７】
前記極性コンデンサ（Ｃｐ）は、充電式直流（ＤＣ）電気エネルギー源（Ｖｄｃ）に並列に接続されて、前記充電式直流（ＤＣ）電気エネルギー源（Ｖｄｃ）を充電するように構成される、請求項２〜６のいずれか一項に記載のダンパー（１）。
【請求項８】
前記減衰誘導ユニット（ＬＤ）は、前記交流電気エネルギーを受け取るために絶縁トランス（２２）に接続され、前記絶縁トランス（２２）と交互作用する時には変圧器として機能し、前記スイッチング回路（１２）と交互作用する時にはインダクタとして機能するように構成される、請求項１〜７のいずれか一項に記載のダンパー（１）。
【請求項９】
直流電気エネルギー源（Ｖｄｃ）から直流電気エネルギーを受け取るために前記直流電気エネルギー源（Ｖｄｃ）に電気的に接続され、且つ、前記直流電気エネルギーを交流電気エネルギーに変換するように構成される直流交流変換回路（２１）と、
前記直流交流変換回路（２１）から交流電気エネルギーを受け取るために前記直流交流変換回路（２１）に電気的に接続される入力ポートと、出力ポートと、を有し、前記交流電気エネルギーをその前記出力ポートで出力する絶縁トランス（２２）と、
を含む、直流交流変換器（２）と、
共振回路（１１）と、減衰コンデンサユニット（ＣＤ）と、スイッチング回路（１２）と、を含むダンパー（１）と、
を具え、
前記共振回路（１１）は、
第１の端子と第２の端子とを有し、且つ交流電気エネルギーを受け取るように前記絶縁トランス（２２）の前記出力ポートに電気的に接続される減衰誘導ユニット（ＬＤ）と、
前記減衰誘導ユニット（ＬＤ）の前記第１の端子と電気的に接続される第１の端子と、第２の端子と、を有する共振コンデンサ（Ｃｒ-）と、を含み、
前記スイッチング回路（１２）は、前記共振コンデンサ（Ｃｒ-）及び前記減衰誘導ユニット（ＬＤ）のそれぞれの前記第２の端子と、前記減衰コンデンサユニット（ＣＤ）とに電気的に接続されると共に、第１の位相と第２の位相で動作するように構成され、
前記第１の位相で動作する時、前記スイッチング回路（１２）は、前記減衰誘導ユニット（ＬＤ）によって受け取った交流電気エネルギーを前記共振回路（１１）に蓄積するように、前記減衰誘導ユニット（ＬＤ）及び前記共振コンデンサ（Ｃｒ）のそれぞれの前記第２の端子の間に電気的接続を確立し、
前記第２の位相で動作する時、前記スイッチング回路（１２）は、前記共振回路（１１）に蓄積された交流電気エネルギーを前記減衰コンデンサユニット（ＣＤ）に転送して蓄積させる、電気エネルギー変換装置。
【発明の詳細な説明】
【技術分野】
【０００１】
本開示は、エネルギー変換に関し、特に、ダンパー及びこれを用いた電気エネルギー変換装置に関する。
【背景技術】
【０００２】
エネルギー変換とは、ある形態のエネルギーから別の形態のエネルギーに変換する過程である。エネルギー変換として、エネルギー損失を低減して変換効率を高めることが重要である。
【０００３】
台湾特許第Ｉ５４０８３２号は、特に図４において、符号５３１によって示される従来の直列共振回路と、符号５３２から５３Ｎによって示される従来の並列共振回路とを開示する。
【先行技術文献】
【特許文献】
【０００４】
【特許文献１】台湾特許第Ｉ５４０８３２号明細書
【発明の概要】
【発明が解決しようとする課題】
【０００５】
従って、本開示の目的は、変換効率が向上したダンパー、及びこれを用いた電気エネルギー変換装置の提供にある。
【課題を解決するための手段】
【０００６】
本開示の１つの態様によると、ダンパーは、共振回路と、減衰コンデンサユニットと、スイッチング回路と、を含む。共振回路は、減衰誘導ユニットと、共振コンデンサと、を含む。減衰誘導ユニットは、第１の端子と第２の端子とを有し、且つ交流（ＡＣ）電気エネルギーを受け取るように構成されている。共振コンデンサは、減衰誘導ユニットの第１の端子と電気的に接続される第１の端子と、第２の端子と、を有する。スイッチング回路は、共振コンデンサ及び減衰誘導ユニットのそれぞれの第２の端子と、減衰コンデンサユニットとに電気的に接続される。スイッチング回路は、第１の位相と第２の位相で動作するように構成される。第１の位相で動作する時、スイッチング回路は、減衰誘導ユニットによって受け取った交流電気エネルギーを共振回路に蓄積するように、減衰誘導ユニット及び共振コンデンサのそれぞれの第２の端子の間に電気的接続を確立する。第２の位相で動作する時、スイッチング回路は、共振回路に蓄積された交流電気エネルギーを減衰コンデンサユニットに転送して蓄積させる。
【０００７】
本開示のもう１つの態様によると、電気エネルギー変換装置は、直流（ＤＣ）交流変換回路と、ダンパーと、を含む。直流交流変換器は、直流交流変換回路と、絶縁トランスと、を含む。直流交流変換回路は、直流電気エネルギー源から直流電気エネルギーを受け取るために直流電気エネルギー源に電気的に接続され、且つ、直流電気エネルギーを交流電気エネルギーに変換するように構成される。絶縁トランスは、直流交流変換回路から交流電気エネルギーを受け取るために直流交流変換回路に電気的に接続される入力ポートと、出力ポートと、を有する。絶縁トランスは、交流電気エネルギーをその出力ポートで出力する。ダンパーは、共振回路と、減衰コンデンサユニットと、スイッチング回路と、を含む。共振回路は、減衰誘導ユニットと、共振コンデンサと、を含む。減衰誘導ユニットは、第１の端子と第２の端子とを有し、且つ交流電気エネルギーを受け取るように絶縁トランスの出力ポートに電気的に接続される。共振コンデンサは、減衰誘導ユニットの第１の端子と電気的に接続される第１の端子と、第２の端子と、を有する。スイッチング回路は、共振コンデンサ-及び減衰誘導ユニットのそれぞれの第２の端子と、減衰コンデンサユニットとに電気的に接続される。スイッチング回路は、第１の位相と第２の位相で動作するように構成される。第１の位相で動作する時、スイッチング回路は、減衰誘導ユニットによって受け取った交流電気エネルギーを共振回路に蓄積するように、減衰誘導ユニット及び共振コンデンサのそれぞれの第２の端子の間に電気的接続を確立する。第２の位相で動作する時、スイッチング回路は、共振回路に蓄積された交流電気エネルギーを減衰コンデンサユニットに転送して蓄積させる。
【０００８】
本開示のその他の特徴及び効果は以下の図面を参照とした詳細な説明により更に明らかとなる。
【図面の簡単な説明】
【０００９】
【図１】本開示に係るダンパーの一実施形態を示す回路図である。
【図２】交流電気エネルギーとパルス信号を示す例示的なタイミング図である。
【図３】パルス信号に基づくオン状態とオフ状態との間のダンパーの各スイッチユニットの動作を示す例示的なタイミング図である。
【図４】スイッチユニットが同時にオン状態で動作する第１の位相で動作するダンパーを示す等価回路図である。
【図５】スイッチユニットが同時にオフ状態で動作する第２の位相で動作するダンパーを示す等価回路図である。
【図６】本開示による電気エネルギー変換装置の一実施形態を示す回路図である。
【発明を実施するための形態】
【００１０】
発明の詳細な説明
本発明をより詳細に説明する前に、適切と考えられる場合において、符号又は符号の末端部は、同様の特性を有し得る対応の又は類似の要素を示すために各図面間で繰り返し用いられることに留意されたい。
【００１１】
図１には、本開示によりダンパー１の実施形態が示されている。ダンパー１は、交流（ＡＣ）電気エネルギー（Ｖａｃ）を受け取るように構成されている。図２に示されているように、本実施形態において、交流電気エネルギー（Ｖａｃ）は電圧が１１０ボルトであり、周波数が６０Ｈｚであるが、それに限定されない。
【００１２】
図１に戻って、ダンパー１は、共振回路１１と、減衰コンデンサユニット（ＣＤ）と、スイッチング回路１２と、を含む。
【００１３】
共振回路１１は、減衰誘導ユニット（ＬＤ）と、共振コンデンサ（Ｃｒ）と、を含む。減衰誘導ユニット（ＬＤ）は、第１の端子と第２の端子とを有し、且つ交流電気エネルギー（V ａｃ）を受け取るように構成されている。減衰誘導ユニット（ＬＤ）の詳細については、台湾実用新案第Ｍ４７０３６５号を参照することができ、その説明はここでは省略する。共振コンデンサ（Ｃｒ）は、減衰誘導ユニット（ＬＤ）の第１の端子と電気的に接続される第１の端子と、第２の端子と、を有する。
【００１４】
減衰コンデンサユニット（ＣＤ）は、第１の端子と、第２の端子と、第３の端子と、を有する。更に、減衰コンデンサユニット（ＣＤ）は、減衰コンデンサユニット（ＣＤ）の第１の端子と第３の端子との間に接続される第１の無極性コンデンサ（Ｃｓ１）と、減衰コンデンサユニット（ＣＤ）の第２の端子と第３の端子との間に接続される第２の無極性コンデンサ（Ｃｓ２）と、減衰コンデンサユニット（ＣＤ）の第１の端子と第２の端子との間に接続される極性コンデンサ（Ｃｐ）と、を含む。例えば、極性コンデンサ（Ｃｐ）は、減衰コンデンサユニット（ＣＤ）の第１の端子に接続される正の端子と、減衰コンデンサユニット（ＣＤ）の第２の端子に接続される負の端子と、を有する。極性コンデンサ（Ｃｐ）は、充電式直流（ＤＣ）電気エネルギー源（Ｖｄｃ）に並列に接続されて、充電式直流（ＤＣ）電気エネルギー源（Ｖｄｃ）を充電するように構成される。減衰コンデンサユニット（ＣＤ）については、台湾実用新案第Ｍ４７７０３３号を参照することができ、その説明はここでは省略する。
【００１５】
スイッチング回路１２は、共振コンデンサ（Ｃｒ-）及び減衰誘導ユニット（ＬＤ）のそれぞれの第２の端子と、減衰コンデンサユニット（ＣＤ）と、に電気的に接続される。スイッチング回路１２は、第１の位相と第２の位相で動作するように構成される。第１の位相で動作する時、スイッチング回路１２は、減衰誘導ユニット（ＬＤ）によって受け取った交流電気エネルギーを共振回路１１に蓄積するように、減衰誘導ユニット（ＬＤ）及び共振コンデンサ（Ｃｒ-）のそれぞれの第２の端子の間に電気的接続を確立する。第２の位相で動作する時、スイッチング回路１２は、共振回路１１に蓄積された交流電気エネルギーを減衰コンデンサユニット（ＣＤ）に転送して蓄積させる。
【００１６】
具体的には、スイッチイング回路１２は、第１のダイオードセット１３と、第２のダイオードセット１４と、第１のスイッチユニット１６と、第２のスイッチユニット１７と、コントローラー１５と、を含む。
【００１７】
第１のダイオードセット１３は、減衰誘導ユニット（ＬＤ）の第２の端子と減衰コンデンサユニット（ＣＤ）の第１の端子及び第２の端子にそれぞれ接続される。第２のダイオードセット１４は、共振コンデンサ（Ｃｒ-）の第２の端子と減衰コンデンサユニット（ＣＤ）の第１の端子及び第２の端子にそれぞれ接続される。本実施形態において、第１のダイオードセット１３及び第２のダイオードセット１４はそれぞれ、第１のダイオード（Ｄ３、Ｄ５）と、第２のダイオード（Ｄ４、Ｄ６）と、を含む。各第１のダイオード（Ｄ３、Ｄ５）は、減衰誘導ユニット（ＬＤ）及び共振コンデンサ（Ｃｒ）の内の対応する１つにおける第２の端子に接続されるアノードと、減衰コンデンサユニット（ＣＤ）の第１の端子に接続されるカソードと、を有する。各第２のダイオード（Ｄ４、Ｄ６）は、減衰コンデンサユニット（ＣＤ）の第２の端子に接続されるアノードと、対応する第１のダイオード（Ｄ３、Ｄ５）のアノードに接続されるカソードと、を有する。なお、ダイオードセット１３、１４の実装は、ここで開示されたものに限定されず、他の実施形態では変更可能であることに留意されたい。
【００１８】
第１のスイッチユニット１６は、減衰誘導ユニット（ＬＤ）の第２の端子に接続される第１の端子と、減衰コンデンサユニット（ＣＤ）の第３の端子に接続される第２の端子と、制御端子と、を有する。第２のスイッチユニット１７は、共振コンデンサ（Ｃｒ-）の第２の端子に接続される第１の端子と、減衰コンデンサユニット（ＣＤ）の第３の端子に接続される第２の端子と、制御端子と、を有する。第１のスイッチユニット１６及び第２のスイッチユニット１７は、それぞれ電流が通ってその第１の端子と第２の端子の間に流れることを許可するオン状態と、電流が通ってその第２の端子から第１の端子へ流れることを許可するオフ状態と、で動作可能である。
【００１９】
コントローラー１５は、第１のスイッチユニット１６及び第２のスイッチユニット１７のそれぞれの制御端子に電気的に接続され、且つ、図２と図３に示されるようにパルス信号（Ｐ）により、第１のスイッチユニット１６及び第２のスイッチユニット１７をそれぞれオン状態とオフ状態との間で動作を制御するように構成される。パルス信号（Ｐ）が第１の電圧レベル（例えば、高電圧レベル）である第１の時間（Ｖ）の間、第１のスイッチユニット１６及び第２のスイッチユニット１７は同時にオン状態で動作するよう制御される。パルス信号（Ｐ）が第２の電圧レベル（例えば、低電圧レベル）である第２の時間（Ｖ）の間、第１のスイッチユニット１６及び第２のスイッチユニット１７は同時にオフ状態で動作するよう制御される。本実施形態において、パルス信号（Ｐ）は５０ｋＨｚであるが、それに限定されない。
【００２０】
本実施形態において、第１のスイッチユニット１６及び第２のスイッチユニット１７は、トランジスタ（Ｑ１、Ｑ２）と、ダイオード（Ｄ１、Ｄ２）と、をそれぞれ含む。各トランジスタ（Ｑ１、Ｑ２）（例えば、絶縁ゲートバイポーラトランジスタ（ＩＧＢＴ））は、第１のスイッチユニット１６及び該第２のスイッチユニット１７の内の対応する１つにおける第１の端子、第２の端子及び制御端子にそれぞれ接続されるドレイン端子（Ｄ）、ソース端子（Ｓ）及びゲート端子（Ｇ）をそれぞれ有する。第１のスイッチユニット１６及び該第２のスイッチユニット１７がそれぞれオン状態で動作する際、それらのトランジスタ（Ｑ１、Ｑ２）が導通するため、電流がそれらの第１の端子からそれらのトランジスタ（Ｑ１、Ｑ２）を介してそれらの第２の端子に流れることができる。第１のスイッチユニット１６及び該第２のスイッチユニット１７がそれぞれオフ状態で動作する際、それらのトランジスタ（Ｑ１、Ｑ２）は導通しないため、電流がそれらの第１の端子からそれらのトランジスタ（Ｑ１、Ｑ２）を介してそれらの第２の端子に流れることができない。ダイオード（Ｄ１、Ｄ２）は、第１のスイッチユニット１６及び該第２のスイッチユニット１７の対応する１つにおける第２の端子及び第１の端子にそれぞれ接続されるアノード及びカソードを有するため、第１のスイッチユニット１６及び該第２のスイッチユニット１７の対応する１つにおける第２の端子からダイオード（Ｄ１、Ｄ２）を介して第１のスイッチユニット１６及び該第２のスイッチユニット１７の当該対応する１つにおける第１の端子に電流を流すことができる。しかし、第１のスイッチユニット１６及び該第２のスイッチユニット１７の実装は、ここでの開示に限定されず、他の実施形態では変更可能であることに留意されたい。
【００２１】
図３〜５に示されたように、スイッチング回路１２（図１を参照）は、パルス信号（Ｐ）に基づいて第１の位相及び第２の位相で周期的に動作する。図４と図５においては、減衰誘導ユニット（ＬＤ）が部分的に示され、コントローラー１５（図１を参照）と非導通トランジスタ（Ｑ１、Ｑ２）は示されていない。図４に示されたように、スイッチング回路１２が第１の位相で動作する際、第１のスイッチユニット１６及び該第２のスイッチユニット１７は、同時にオン状態で動作して（即ち、トランジスタ（Ｑ１、Ｑ２）が同時に導通する）減衰誘導ユニット（ＬＤ）及び共振コンデンサ（Ｃｒ）のそれぞれの第２の端子の間に電気的接続を確立する（即ち、減衰誘導ユニット（ＬＤ）及び共振コンデンサ（Ｃｒ）が並列に接続される）ようにコントローラー１５に制御されるため、減衰誘導ユニット（ＬＤ）によって受け取った交流電気エネルギーは共振回路１１に蓄積される。図５に示されたように、スイッチング回路１２が第２の位相で動作する際、第１のスイッチユニット１６及び該第２のスイッチユニット１７は、同時にオフ状態で動作する（即ち、トランジスタ（Ｑ１、Ｑ２）が同時に導通しないと共に減衰誘導ユニット（ＬＤ）及び共振コンデンサ（Ｃｒ）が直列に接続される）ようにコントローラー１５に制御されるため、共振回路１１に蓄積された交流電気エネルギーを第１のダイオードセット１３及び第２のダイオードセット１４とダイオード（Ｄ１、Ｄ２）を経由して減衰コンデンサ（ＣＤ）に転送して蓄積できるようになる。
【００２２】
図１に戻って、総括すると、スイッチング回路１２がパルス信号（Ｐ）（図３を参照）に制御され、第１の位相及び第２の位相で周期的に動作することによって、減衰誘導ユニット（ＬＤ）によって受け取った交流電気エネルギー（Ｖａｃ）が共振回路１１に蓄積されること、及び、共振回路１１に蓄積された交流電気エネルギーが減衰コンデンサ（ＣＤ）に転送して蓄積されることとが交互に行われる。その後、減衰コンデンサ（ＣＤ）に蓄積された電気エネルギーは充電式直流電気エネルギー源（Ｖｄｃ）の充電に用いることができる。従って、エネルギー損失が少なく、変換効率が高い。
【００２３】
図６においては、本開示による電気エネルギー変換装置の一実施形態が示されている。電気エネルギー変換装置は、直流交流変換器２と、前記したダンパー１と、を含む。
【００２４】
直流交流変換器２は、直流交流変換回路２１と、絶縁トランス２２と、を含む。
【００２５】
直流交流変換回路２１は、充電式直流電気エネルギー源（Ｖｄｃ）から直流電気エネルギーを受け取るために充電式直流電気エネルギー源（Ｖｄｃ）に電気的に接続され、且つ直流電気エネルギーを交流電気エネルギーに変換するように構成される。
【００２６】
絶縁トランス２２は、直流交流変換回路２１から交流電気エネルギーを受け取るために直流交流変換回路２１に電気的に接続される入力ポートと、出力ポートと、を有する。絶縁トランス２２は交流電気エネルギーをその出力ポートで出力する。
【００２７】
電気エネルギー変換装置の実施形態において、ダンパー１の減衰誘導ユニット（ＬＤ）は、交流電気エネルギーを受け取るために絶縁トランス２２に電気的に接続されるように構成される。減衰誘導ユニット（ＬＤ）は、絶縁トランス２２と相互作用する時にはトランスとして機能し、スイッチング回路１２と相互作用する時にはインダクタとして機能する。ダンパー１の動作は既に説明したので、その詳細な説明をここで省略する。
【００２８】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、態様に組み込まれているが、これは本説明を合理化させるためのもので、また、本発明の多面性が理解されることを目的としたものである。
【００２９】
以上、本発明を実用的な実施形態と考えられるものに関して記述してきたが、本発明は、開示した実施形態に制限されることなく、同様の修正および等価な配置のすべてを包含するような、最も広い解釈の精神および範囲内に含まれる様々なアレンジをカバーするように意図されることが理解される。
【図１】
2018068102.tif 000003
【図２】
2018068102.tif 000004
【図３】
2018068102.tif 000005
【図４】
2018068102.tif 000006
【図５】
2018068102.tif 000007
【図６】
2018068102.tif 000008
【外国語明細書】
2018068102000001.pdf
2018068102000002.pdf
2018068102000003.pdf
2018068102000004.pdf